(57)【要約】【課題】多色表示可能な磁気反転ユニットを提供すること。【解決手段】表示装置に複数配列されて、磁気反転により表示色を切換える磁気反転ユニットにおいて、表示色が異なる反転翼２２０をそれぞれ備える磁気反転モジュールを複数組備え、磁気反転モジュールの各組は、それぞれ、磁力によって前記反転翼を切換える電磁石と、電磁石に対して回動自在に支持され、電磁石からの磁力に応じて回動する永久磁石と、永久磁石の回動を伝達する伝達部材２４０と、反転翼に固定され、伝達部材からの永久磁石の回動を反転翼に中継する中継部材２３０と、を有し、磁気反転モジュールの各反転翼は、共通の回動軸によって回動可能に支持され、磁気反転後は相互に積層するように設けられ、磁気反転モジュールの各中継部材は、反転翼の積層順に基づく順番で、反転翼の回動軸に沿って配列されるように、対応する反転翼に対して回動軸３２０に沿った所定の位置で固定される。【選択図】図５
2019045541.tif 000002
【特許請求の範囲】
【請求項１】
表示装置に複数配列されて、磁気反転により表示色を切換える磁気反転ユニットにおいて、
表示色が異なる反転翼をそれぞれ備える磁気反転モジュールを複数組備え、
前記磁気反転モジュールの各組は、それぞれ、
磁力によって前記反転翼を切換える電磁石と、
前記電磁石に対して回動自在に支持され、前記電磁石からの磁力に応じて回動する永久磁石と、
前記永久磁石の回動を伝達する伝達部材と、
前記反転翼に固定され、前記伝達部材からの前記永久磁石の回動を前記反転翼に中継する中継部材と、を有し、
前記磁気反転モジュールの各反転翼は、共通の回動軸によって回動可能に支持され、磁気反転後は相互に積層するように設けられ、
前記磁気反転モジュールの各中継部材は、前記反転翼の積層順に基づく順番で、前記反転翼の回動軸に沿って配列されるように、対応する反転翼に対して回動軸に沿った所定の位置で固定される
ことを特徴とする磁気反転ユニット。
【請求項２】
前記伝達部材は、前記中継部材と前記永久磁石に巻回されるベルトである。
ことを特徴とする請求項１に記載の磁気反転ユニット。
【請求項３】
前記永久磁石は、共通の軸で回動支持され、前記反転翼の回動軸に沿った方向に配列される
ことを特徴とする請求項１に記載の磁気反転ユニット。
【請求項４】
前記各中継部材は、共通の軸で回動支持されるよう配列される
ことを特徴とする請求項１に記載の磁気反転ユニット。
【請求項５】
各磁気反転モジュールに属する電磁石と永久磁石と伝達部材と中継部材は、前記反転翼の磁気反転後の面に対して垂直方向に配置される
ことを特徴とする請求項１に記載の磁気反転ユニット。
【請求項６】
請求項１乃至請求項５のいずれか一項に記載の磁気反転ユニットの複数を、マトリクス状に配置した
ことを特徴とする表示装置。
【発明の詳細な説明】
【技術分野】
【０００１】
本発明は、磁力によって反転翼を反転させて表示を行う磁気反転ユニットに関する。
【背景技術】
【０００２】
磁気反転ユニットは、永久磁石と銅線を巻いた鉄芯（コイル）を組み合わせ、電磁石の原理を利用して反転翼を開閉するものである。表側と裏側で色の異なる反転翼を、電磁石によって反転させることで色が変化する。表示装置は、この磁気反転ユニットを多数配列し、文字や数字の表現を行うもので、スコアボードや掲示板等に利用される。屋内外競技場などに設置されるスコアボードは、各磁気反転ユニットでドット表示することによりチーム名や点数などを表示することができる。さらに、磁気反転ユニットから構成される表示装置は、ＬＣＤ等の表示装置に比べて低消費電力で運用することが可能なため、大型表示装置の分野で近年再評価されている。そして、表示色数も３色以上の要請も強いため、多色表示できる磁気反転ユニットも提案されている（特許文献１）。
【先行技術文献】
【特許文献】
【０００３】
【特許文献１】特開平５−１４３００５号公報
【発明の概要】
【発明が解決しようとする課題】
【０００４】
従来の磁気反転ユニットは、反転翼が１枚であったため、翼の表と裏の２色表示しかできなかった。特許文献１で紹介したような、反転翼の代わりに立方体にした回転体により、計４色を表現するものもあるが、立方体の表から裏側へ色を反転させるのに、２度制御が必要で一度に表示を切り替えることができなかった。
【０００５】
本願発明は、上記課題に鑑み、多色表示可能な磁気反転ユニットを提供することを目的とする。
【課題を解決するための手段】
【０００６】
上記目的を達成するために、  表示装置に複数配列されて、磁気反転により表示色を切換える磁気反転ユニットにおいて、表示色が異なる反転翼をそれぞれ備える磁気反転モジュールを複数組備え、前記磁気反転モジュールの各組は、それぞれ、磁力によって前記反転翼を切換える電磁石と、前記電磁石に対して回動自在に支持され、前記電磁石からの磁力に応じて回動する永久磁石と、前記永久磁石の回動を伝達する伝達部材と、前記反転翼に固定され、前記伝達部材からの前記永久磁石の回動を前記反転翼に中継する中継部材と、を有し、前記磁気反転モジュールの各反転翼は、共通の回動軸によって回動可能に支持され、磁気反転後は相互に積層するように設けられ、前記磁気反転モジュールの各中継部材は、前記反転翼の積層順に基づく順番で、前記反転翼の回動軸に沿って配列されるように、対応する反転翼に対して回動軸に沿った所定の位置で固定される。
【発明の効果】
【０００７】
本発明によれば、多色表示可能な磁気反転ユニットを提供することができる。
【図面の簡単な説明】
【０００８】
【図１】表示装置の外観図である。
【図２】反転翼の開閉原理を説明する図である。
【図３】従来の磁気反転ユニットの構成を示す図である。
【図４】本実施形態の磁気反転ユニットの外観図である。
【図５】磁気反転ユニットのみの構成を示した図である。
【図６】ケースの外観図である。
【図７】歯車が設けられた反転翼を示す図である。
【図８】反転翼の全てを、移動途中の状態で並べて表示した図である。
【図９】磁気反転モジュールを正面から見た図である。
【図１０】各磁気反転モジュールの分解図である。
【図１１】右側面方向から見た磁気反転ユニットの透視図である。
【図１２】底部方向から見た磁気反転ユニットの透視図である。
【図１３】反転翼に対する歯車のＺ方向の取付位置を説明するため図である。
【図１４】反転翼に対する歯車のＺ方向の取付位置を説明するため図である。
【図１５】電磁石部の駆動と表示色の関係をまとめた表である。
【図１６】表示装置を駆動する表示システムのブロック図である。
【発明を実施するための形態】
【０００９】
以下、図面に従って本発明の実施形態を説明する。図１は、本発明に係る磁気反転ユニット１０により構成される表示装置１の正面図である。１つの磁気反転ユニット１０が、表示装置１の１画素を形成し、マトリクス状に配列された磁気反転ユニット１０から表示装置１が構成される。磁気反転ユニット１０は、反転翼の反転位置によって色を表現する。磁気反転ユニット１０ａは、反転翼が反転して、異なる色に変化した状態である。
【００１０】
磁気反転ユニット１０は、永久磁石と銅線を巻いた鉄芯（コイル）を組み合わせ、電磁石の原理を利用して反転翼を回動させて開閉するものである。磁気反転ユニット１０は、磁気反転装置とも呼ばれる。
【００１１】
図２は、反転翼の開閉原理を説明する図である。図２（Ａ）は、磁気反転ユニット１０の基本構成を示す図である。磁気反転ユニット１０は、電磁石部１００と磁気反転部２００を有する。電磁石部１００は、コイル１１０と鉄芯１２０を有する。電磁石部１００は、鉄芯１２０にボビン（不図示）を介してコイル１１０が巻回されて構成される。コイル１１０への電圧印加により、鉄芯１２０の上端１２０ａと下端１２０ｂがＳ又はＮの磁極となる。
【００１２】
磁気反転部２００は、永久磁石２１０と反転翼２２０を有する。永久磁石２１０は、電磁石部１００に対して、センタ２１０ａを中心として回動可能に設けられる。反転翼２２０は、永久磁石２１０に対して、センタ２１０ａを中心とする略法線方向上に固定して設けられる。また、反転翼２２０は第１面２２１と第２面２２２で、色が異なる。反転翼２２０の位置（開位置、閉位置）によって、磁気反転ユニット１０の表示色を変えるためである。
【００１３】
また、永久磁石２１０は、所定の角度位置がＳ極・Ｎ極になるよう予め着磁される。なお、反転翼２２０が左側にある図２（Ａ）の状態で、Ｎ極２１０Ｎが鉄芯１２０の上端１２０ａから約＋４５°で、Ｓ極２１０Ｓが鉄芯１２０の上端１２０ａから約＋１３５°の位置となるような角度に、永久磁石２１０は取り付けられる。
【００１４】
図２（Ｂ）から図２（Ｄ）は、電磁石部１００が永久磁石２１０を回動させて、反転翼２２０が閉位置から開位置に変化する様子を示す図である。図２（Ａ）の反転翼２２０の位置を閉位置と呼び、図２（Ｄ）の反転翼２２０の位置を開位置と呼ぶ。
【００１５】
図２（Ｂ）は、反転翼２２０が閉位置にある状態で、コイル１１０に所定電圧（感動電圧）の印加が開始された状態である。反転翼２２０が閉位置では、第１面２２１が表示面となる。
【００１６】
鉄芯１２０から、点線で示す磁界が発生する。鉄芯１２０の上端１２０ａがＮ極、鉄芯１２０の下端１２０ｂがＳ極になるように、コイル１１０に電圧が印加される。鉄芯１２０からの磁界により、永久磁石２１０のＮ極２１０Ｎに反発力（Ｐ方向）が発生して、永久磁石２１０はＱ方向に回動される。
【００１７】
図２（Ｃ）は、永久磁石２１０が回動中（Ｑ方向）の状態である。図２（Ｄ）は、反転翼２２０が開位置まで回動した状態である。鉄芯１２０の上端１２０ａがＮ極であるので、永久磁石２１０のＳ極２１０Ｓに吸引力（Ｒ方向）が発生し、永久磁石２１０は、反転翼２２０が開位置になるまで回動する。なお、反転翼２２０が不図示の停止部材に突き当たることで、永久磁石２１０のＱ方向への回動が停止する。
【００１８】
反転翼２２０が開位置では、反転翼２２０の第２面２２２が表示面となる。なお、鉄芯１２０を所定の残留磁化が生じるような材質で構成することで  コイル１１０への電圧印加を停止しても、反転翼２２０は開位置に保持される。
【００１９】
そして、図２（Ｄ）の状態で、コイル１１０に逆の電圧を印加すると、鉄芯１２０のＮ極とＳ極が反転して、反転翼２２０が開位置から、図２（Ｂ）の閉位置まで移動する。
【００２０】
本実施形態による多色表示の磁気反転ユニット１０は、図２に示す電磁石部と磁気反転部の組を表示色−１の数だけ備える。電磁石部と磁気反転部の１組を磁気反転モジュール２０と呼ぶ。
【００２１】
図３は、従来の磁気反転ユニット１０００の構成を示す図である。本実施形態の説明の前に、対比のために、従来の磁気反転ユニット１０００の構成を簡単に説明する。図３（Ａ）は、従来の磁気反転ユニット１０００の外観図で、図３（Ｂ）はその透視図である。なお、図３は、反転翼が回動途中の状態を示す。
【００２２】
磁気反転ユニット１０００は、電磁石部１１００、磁気反転部１２００及びケース１３００を有する。図２と同様に、電磁石部１１００は、コイル１１１０及び鉄芯１１２０を有する。また、磁気反転部１２００は、永久磁石１２１０及び反転翼１２２０を有する。ケース１３００は、電磁石部１１００及び磁気反転部１２００を収納保持する。
【００２３】
ケース１３００の上面には、向かって右側に１色目表示面１３０１、左側に２色目表示面１３０２がそれぞれ設けられる。１色目表示面１３０１は、反転翼１２２０の第１面１２２１と同色である。２色目表示面１３０２は、反転翼１２２０の第２面１２２２と同色である。
【００２４】
反転翼１２２０が閉位置にある場合に、磁気反転ユニット１０００の左側が反転翼１２２０の第１面１２２１の色で表示され、磁気反転ユニット１０００の右側が１色目表示面１３０１の色で表示される。また、反転翼１２２０が開位置にある場合に、磁気反転ユニット１０００の左側が２色目表示面１３０２の色の色で表示され、磁気反転ユニット１０００の右側が反転翼１２２０の第２面１２２２の色で表示される。
【００２５】
以上、従来の磁気反転ユニット１０００は、図３に示すように、磁気反転部１２００を１個のみ備え、２色（１色目及び２色目）の切換え表示が可能であった。
【００２６】
図４は、本実施形態の磁気反転ユニット１０の外観図である。図４（Ａ）は外観図で、図４（Ｂ）はその透視図である。なお、以下では、反転翼２２０の枚数を８枚の例で説明するが、８枚に限るものではない。
【００２７】
磁気反転ユニット１０は、８組の磁気反転モジュール２０と、磁気反転モジュール２０を格納するケース３００を有する。８組の磁気反転モジュール２０を、磁気反転モジュール２０−１〜磁気反転モジュール２０−８と呼ぶ。各磁気反転モジュール２０は、電磁石部１００及び磁気反転部２００をそれぞれ有する（図５で後述する）。なお、ＸＹＺの座標軸は、各図面間の方向の関係を規定するためのものである。
【００２８】
また、以下で、各磁気反転モジュール２０の電磁石部は、共通であるので区別の必要がない場合には同一符号（電磁石部１００）で示す。同様に、各磁気反転モジュール２０の永久磁石も、同一符号（永久磁石２１０）で示す。各磁気反転モジュール２０の磁気反転部２００の反転翼と歯車は、構成が異なるので、区別して説明する場合には、異なる符号で示す。以下で、磁気反転モジュール２０−ｎの反転翼と歯車を、それぞれ反転翼２２０−ｎ、歯車２３０−ｎと表記する。一括する場合には、反転翼２２０及び歯車２３０と表記する。
【００２９】
なお、以下では、図２と同様に、反転翼２２０が図４の左側にある位置を閉位置あるいは閉位置側と呼び、図４の右側にある位置を開位置あるいは開位置側と呼ぶ。８枚の反転翼２２０は、閉位置あるいは開位置で、積層して配置される。
【００３０】
全ての反転翼２２０が閉位置にある状態を初期状態とする。初期状態で一番上の位置にある反転翼を、磁気反転モジュール２０−１の反転翼２２０−１とする。反転翼２２０−１の下に、以降の反転翼２２０−２が、順番に積層される。
【００３１】
反転翼２２０は、回動軸３２０を中心として、電磁石部１００によって回動されて、ケース３００の右側位置と左側位置のいずれかに移動する。図４（Ａ）は、磁気反転モジュール２０−１の反転翼２２０−１が、閉位置と開位置の間にある状態を示す。
【００３２】
各反転翼２２０で、回動軸３２０の側に、反転翼２２０を回動させる歯車２３０が固定して設けられる。各歯車２３０は回動軸３２０方向（Ｙ方向）に沿って所定間隔（ｗ）で配列される。反転翼２２０−１に、一番奥側に位置する歯車２３０−１が固定して設けられる。
【００３３】
同様に、歯車２３０−２〜歯車２３０−８は、反転翼２２０−２〜反転翼２２０−８に固定して設けられる。磁気反転モジュール２０−８の歯車２３０−８が、最も手前に配置される。すなわち、磁気反転モジュールの歯車２３０は、反転翼２２０の積層順に基づく順番で、反転翼２２０の回動軸３２０に沿って配列されるように、対応する反転翼２２０に対して回動軸３２０に沿った所定の位置で固定される。
【００３４】
なお、歯車２３０−１〜歯車２３０−８は、同一形状でよい。なお、本実施形態では、歯車２３０の形状を、歯形は省略した円盤形状で示す。
【００３５】
また、歯車２３０−１〜歯車２３０−８は、回動軸３２０を回動軸とする支持軸Ａ３２１により回動支持される。支持軸Ａ３２１は、ケース３００の上辺に設けられた１対の軸受け（軸受け３１０、軸受け３１１（図６参照））に両端が支持されて、ケース３００に固定される。
【００３６】
これにより、歯車２３０が取り付けられた各反転翼２２０は、回動軸３２０回りに回動支持される。また、反転翼２２０には、他の７個の歯車２３０との干渉を避けるためのスリット２２０ｂが７か所形成される。
【００３７】
そして、歯車２３０には、それぞれベルト２４０が巻回される。歯車２３０の下に、永久磁石２１０が設けられ（図４（Ｂ）,図５参照）、ベルト２４０によって、永久磁石２１０の回動が歯車２３０に伝達される。そして、永久磁石２１０のそれぞれの下部に、永久磁石２１０を回動する電磁石部１００が配置される。
【００３８】
なお、歯車２３０は、永久磁石２１０による回動を反転翼２２０に中継する部材であるので、中継部材とも呼ぶ。ベルト２４０は、永久磁石２１０の回動を反転翼２２０に伝達する部材であるので、伝達部材とも呼ぶ。
【００３９】
ケース３００は、８組の磁気反転モジュールを収納・保持する。ケース３００の右側は、反転翼２２０−１の表面の色と同色の１色目表示面３０１が設けられる。そして、反転翼２２０−１が開位置である右側に移動した場合には、反転翼２２０−１の裏面が右側の色を構成し、反転翼２２０−２の表面が左側の色を構成することになる。
【００４０】
図５は、図４（Ａ）からケース３００を除き、磁気反転ユニット１０のみの構成を示した図である。８組の磁気反転モジュールは、回動軸方向に沿って並んで配置される。図５では、代表して磁気反転モジュール２０−１の構成を図示する。
【００４１】
各歯車２３０の中心に設けられた孔に支持軸Ａ３２１が貫通配置される。支持軸Ａ３２１は、両端がケース３００の１対の軸受けに固定される。各歯車２３０に固定された反転翼２２０は、支持軸Ａ３２１によってケース３００に対して回動支持される。
【００４２】
各歯車２３０（歯車２３０−１〜歯車２３０−８）の下部に、対応する永久磁石２１０が配置される。歯車２３０と永久磁石２１０には、それぞれベルト２４０が巻き付けられる。
【００４３】
各永久磁石２１０は、中心に設けられた孔に支持軸Ｂ３２５が貫通し、支持軸Ｂ３２５は、両端がケース３００に設けられた１対の軸受けに固定される。各永久磁石２１０は、支持軸Ｂ３２５によってケース３００に対して回動支持される。支持軸Ｂ３２５は、支持軸Ａ３２１に平行に配置される。
【００４４】
これにより、永久磁石２１０の回動に従って歯車２３０が回動される。なお、ベルト２４０は、内周に歯車２３０に係合する内歯が形成された歯付ベルトである。これにより、永久磁石２１０の回転角を歯車２３０にロスなく正確に伝達させることができる。
【００４５】
各永久磁石２１０の下部には、それぞれ永久磁石２１０を駆動するための電磁石部１００が並んで配置される。電磁石部１００は、ケース３００から下方向に突き出るように配置される。一番奥に磁気反転モジュール２０−１の電磁石部１００−１が配置され、一番手前に磁気反転モジュール２０−８の電磁石部１００−８が配置される。
【００４６】
図５の下部に、電磁石部１００の拡大図を示す。磁気反転モジュール１〜磁気反転モジュール８に関わらず、電磁石部１００は共通でよい。電磁石部１００は、前述のように、コイル１１０と鉄芯１２０を有する。
【００４７】
図６は、ケース３００の外観図である。ケース３００の表示面側の右が１色目表示面３０１で、表示面側の左が９色目表示面３０２である。また、ケース３００の上面の手前側と奥側に、一対の軸受けとして、軸受け３１０及び軸受け３１１が設けられる。軸受け３１０及び軸受け３１１に、歯車２３０を回動支持する支持軸Ａ３２１の両端が固定される。
【００４８】
また、ケース３００の下部の手前側と奥側に、一対の軸受けとして、軸受け３１３および軸受け３１４が設けられる。支持軸Ｂ３２５の両端が、軸受け３１３および軸受け３１４で支持される。軸受け３１３及び軸受け３１４に、永久磁石２１０を回動支持する支持軸Ｂ３２５の両端が固定される。
【００４９】
図７は、歯車２３０が設けられた反転翼２２０を単独で示す図である。図７は、歯車２３０−１が固定された反転翼２２０−１の外観図である。反転翼２２０−１には、一番奥側にスリット２２０ａが設けられ、スリット２２０ａの内側に所定間隔で7個のスリット２２０ｂが設けられる。孔２３０ａは、支持軸Ａ３２１に係合する。
【００５０】
スリット２２０ａは、歯車２３０−１を取付けるためのスリットである。スリット２２０ａの溝幅ｔａは、歯車２３０の幅ｄと略同一である。すなわち、ｔａ≒ｄである。
【００５１】
歯車２３０−１は、反転翼２２０−１が歯車２３０の孔２３０ａに貫通される支持軸Ａ３２１の外周に接触しないように、所定の隙間をあけて反転翼２２０−１に取付けられる。
【００５２】
7個のスリット２２０ｂは、他の反転翼２２０の歯車２３０と干渉しないための溝である。すなわち、歯車２３０−１の7個のスリット２２０ｂは、歯車２３０−２〜歯車２３０−８を通過させるための溝である。7個のスリット２２０ｂの溝幅ｔｂとすると、ｔｂ＞ｄである。スリット２２０ｂには、反転翼２２０を確実に通過させるために十分な隙間が設けられる。
【００５３】
また、反転翼２２０−１に対する歯車２３０−１のＺ方向の取付け位置は、孔２３０ａの中心付近である。ただし、反転翼２２０に対する歯車２３０のＺ方向の取付け位置は、対応する反転翼の積層順番に応じて異なる。反転翼を整列させて積層させるためである。詳細は、図１３及び図１４で説明する。
【００５４】
図８は、反転翼２２０の全てを、移動途中の状態で並べて表示した図である。図８は、実際の開閉状態を示す図ではない。回動する反転翼２２０が、スリット２２０ｂにより歯車２３０を通過する様子を示す。図８（Ａ）は、外観図で、図８（Ｂ）は、透視図である。
【００５５】
図９は、磁気反転モジュール２０を正面から見た図である。反転翼２２０−１が、開位置に移動した状態の図である。左側に反転翼２２０−２が位置する。図９に示されるように、ベルト２４０が巻き付いた各歯車２３０の略上半分が表示面に露出する。ベルト２４０と歯車２３０の露出する部分は、各表示色に対応することはできないので、表示装置を見る観客は、ベルト２４０と歯車２３０の部分をノイズとして見ることになる。従って、ノイズ領域であるベルト２４０と歯車２３０の露出する部分が少ない程、表示画質が向上することになる。従って、特に、歯車２３０の径を小さくかつ厚さを薄くすることが望ましい。歯車２３０は、ベルト２４０の幅に近い幅まで薄型化ができるので、薄型化に好適である。
【００５６】
表示面に、歯車２３０の存在により、横方向の細いノイズが８本入ることになるが、歯車２３０の厚さを薄くすることや小径化によって、視認性への悪影響を少なくすることができる。なお、歯車２３０等によるノイズを目立たせないようにするため、歯車２３０及びベルト２４０は、目立たない色が望ましい。例えば、グレーや半透明である。
【００５７】
なお、歯車２３０の代わりに永久磁石２１０を取り付ける構成も可能ではある。ベルト２４０が不要になるという利点もある。しかし、永久磁石２１０は、反転翼２２０を回動する力を発生させるため、一定の体積が必要で、小径化や薄型化が容易でない。永久磁石２１０の幅は歯車２３０の数倍になると予想されるので、永久磁石２１０を表示面に露出させると、回動中心に沿って、大きなノイズ領域が生じることになる。
【００５８】
図１０は、各磁気反転モジュール２０の分解図である。ケース３００から、各磁気反転モジュール２０を取出して、分解して並べた状態である。各部品の形状が明確に示すための図である。
【００５９】
磁気反転モジュール２０−１〜磁気反転モジュール２０−８を、右から順番に並べて示す。各磁気反転モジュール２０に対応するパーツ、すなわち、歯車２３０が取付けられた反転翼２２０、ベルト２４０、永久磁石２１０、電磁石部１００を分解して示す。磁気反転モジュール２０−１及び磁気反転モジュール２０−２につき、対応するパーツを破線で囲んで示す。
【００６０】
前述したように、歯車２３０及びベルト２４０は、それぞれ同一形状の部品である。また、永久磁石２１０も、形状だけでなく磁気特性も略同一でよい。また、電磁石部１００も、電磁特性（鉄心やコイルの巻き数等）も略同一でよい。歯車２３０やベルト２４０等が共通化されることで、管理上や調達上で様々なメリットが出る。支持軸Ａ３２１及び支持軸Ｂ３２５は、それぞれ金属シャフトである。  各反転翼２２０は、長方形の薄板で、縦・横・厚さとも略同一のサイズである。各反転翼２２０には、それぞれ表示色に対応する色が施される。前述のように、反転翼２２０の表裏の色は異なる。閉位置で表示側にあたる面を反転翼２２０の第１面とよび、逆側を第２面と呼ぶ。
【００６１】
各反転翼２２０の色の組み合わせ例を示す。反転翼２２０−１の第１面を黄、第２面を白とし、これを（黄、白）と表現する。同様に、反転翼２２０−２を（白、赤紫）、反転翼２２０−３を（赤紫、黄橙）、反転翼２２０−４を（黄橙、紫）、反転翼２２０−５（紫、緑）、反転翼２２０−６を（緑、青）、反転翼２２０−７を（青、赤）、反転翼２２０−８を（赤、黒）とする。対応して、ケース３００の１色目表示面３０１は黄、９色目表示面３０２は黒となる。
【００６２】
以上のような８枚の反転翼２２０を、指定された色に応じて移動させることにより、計９色の表示が可能になる。
【００６３】
図１１は、図４（Ｂ）と同等な方向から見た磁気反転ユニット１０の透視図である。図１１（Ｂ）は、図１１（Ａ）のＬ方向（Ｌ矢視）から見た磁気反転ユニット１０の内部構成を示す透視図である。
【００６４】
図１２は、底部方向から示す磁気反転モジュール２０の透視図である。図１１（Ａ）のＭ方向から見た（Ｍ矢視）磁気反転モジュール２０の透視図である。
【００６５】
図１３及び図１４は、反転翼２２０に対する歯車２３０のＺ方向の取付位置を説明するため図である。前述したように、反転翼２２０に対する歯車２３０のＺ方向の取付け位置を、対応する反転翼の積層順番に応じて異ならせているからである。
【００６６】
図１３（Ａ）は、図４（Ａ）と同様な磁気反転ユニット１０の外観図である。図１３（Ｂ）は、図１３（Ａ）で示す磁気反転ユニット１０のＰ部を、Ｎ方向から見て（Ｎ矢視）拡大した図である。ただし、図１３（Ｂ）では、全ての反転翼２２０が閉位置にある初期状態を示している。
【００６７】
歯車２３０は、共通の支持軸Ａ３２１で支持されるので、各歯車２３０の回動軸のＺ方向の位置は、同一である。一方、各歯車２３０に取付けられる反転翼２２０は、Ｚ方向の位置が、積層される順に板厚相当分だけずれていかないと、整列して積層されない。すなわち、図１３（Ｂ）に示すように、閉位置及び開位置で、各反転翼２２０が密着して重なるためには、重なる順番に沿って反転翼の略板厚分だけずらしたＺ方向の位置で、反転翼を歯車２３０に取り付けることが必要となる。
【００６８】
図１４は、閉位置で最上位と最下位になる反転翼２２０−１と反転翼２２０−８について、歯車２３０への取付位置を対比して示した図である。図１４（Ａ）は、閉位置の状態で、反転翼２２０−１と歯車２３０−１との取付位置を示す図である。反転翼２２０−１は、歯車２３０−１の回動軸３２０から上方向にｈ１の位置に取付けられる。ｈ１は、例えば、反転翼４枚分の板厚である。図１４（Ｂ）は、閉位置で、反転翼２２０−８と歯車２３０−８との取付位置を示す図である。反転翼２２０−８は、歯車２３０−８の回動軸３２０から下方向ｈ２の位置に取付けられる。ｈ２は、例えば、反転翼４枚分の板厚である。
【００６９】
図１５は、電磁石部１００の駆動と表示色の関係をまとめた表である。表示色は、図１０で説明した例と同じである。この表は、初期状態から、所定の色を表示する場合である。ここでは、各電磁石部１００を区別するため、磁気反転モジュール２０―ｎに対応する電磁石部１００を、電磁石部１００−ｎと表記する。
【００７０】
黄を表示させる場合には、全ての電磁石部１００をオフにして全ての反転翼２２０が閉位置に位置するようにする。次に、白を表示させる場合には、電磁石部１００−１のみを駆動して反転翼２２０−１を、開位置に移動させる。また、黄橙を表示させる場合には、電磁石部１００−１〜電磁石部１００−３を駆動して、反転翼２２０−３までを開位置に移動させる。そして、黒を表示させる場合には、全ての電磁石部１００を駆動して、反転翼２２０の全てを開位置に移動させる。
【００７１】
また、反転翼を開位置から閉位置に移動させる場合には、電磁石部１００に逆電圧を加えることになる。例えば、黒から黄橙に切換える場合には、電磁石部１００−８〜電磁石部１００−４に、逆方向の電圧を加えて回転させればよい。  
【００７２】
次に、表示装置１を駆動する表示システム５００を説明する。図１６は、表示装置を駆動する表示システム５００のブロック図の例である。表示システム５００は、ＰＣ（Personal Computer）５１０、表示コントローラ５２０、表示ドライバ５３０を有するとする。
【００７３】
ＰＣ（Personal Computer）５１０は、指示された文字・数字あるいは画像等のデータを表示用データに変換して表示コントローラ５２０に出力する。 例えば、ＰＣ５１０は、文字・数字あるいは画像等のデータを９色のカラーデータに色変換し、更に表示装置１の表示ピクセル数に応じてビットマップデータ化して、表示コントローラ５２０に出力する。
【００７４】
表示コントローラ５２０は、表示用データを対応する各磁気反転ユニット１０に割り当てて、各磁気反転ユニット１０を駆動する表示ドライバ５３０に、色を指示する色データを出力する。表示ドライバ５３０は、各磁気反転ユニット１０にそれぞれ設けられ、電磁石部１００を駆動するものである。表示ドライバ５３０は、表示コントローラ５２０から出力された色データに応じて、コイル１１０−１〜コイル１１０−８に電圧を印加して、各電磁石部１００を選択的に駆動する。コイル１１０−１〜コイル１１０−８は、電磁石部１００−１〜電磁石部１００−８に対応するコイルである。
【００７５】
駆動される電磁石部１００と表示色の関係は、前述した図１５の表のようである。各磁気反転ユニット１０で、駆動される電磁石部１００に応じて、所定の反転翼２２０が開閉され、所定の色が表示される。各磁気反転ユニット１０で表示される色が組み合わさって、文字・数字あるいは画像が表示装置１に再現される。
【００７６】
<効果>
・以上の本実施形態によれば、多色表示の磁気反転部及び多色表示の磁気反転部を配列した表示装置を提供することができる。
・独立して回動可能な反転翼を複数設け、反転翼を積層配置し、表示色に応じて必要な分の反転翼を回動させるような構成にしたので、磁気反転ユニット１０の小型形状を維持しつつ多色表示が実現される。
・反転翼以外に表示面に露出する部材を歯車とベルトだけにしたので、多色表示であっても、非表示領域の面積を少なくすることができ、表示画質の劣化を抑えることができる。例えば、歯車やベルトを廃止し、永久磁石を表示面に露出させる構成にすると、永久磁石は歯車のようには薄型化できないので、非表示領域が大きくなってしまう。
・永久磁石の回動を歯車及び歯付ベルトで反転翼に伝達するようにしたので、反転翼の反転後の位置精度を高めることができる。
【００７７】
<他の実施形態>
・色数は８色に限定されるものではなく、７色以下あるいは９色以上であってもよい。
・中継部材は、歯車に限るものではなく、プーリであってもよい。また、その場合には、伝達部材は、歯付ベルトでなく、平ベルトでよい。
【００７８】
なお、本発明は上述した実施形態そのままに限定されるものではなく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用が可能であることはもちろんである。
【符号の説明】
【００７９】
１    表示装置
１０，１０００  磁気反転ユニット
２０      磁気反転モジュール
１００，１１００  電磁石部
１１０      コイル
１２０      鉄芯
２００    磁気反転部
２１０，１２１０    永久磁石
２２０，１２２０    反転翼
２２１        第１面
２２２        第２面
２３０        歯車
２４０        ベルト
３００，１３００    ケース
３０１，１３０１    １色目表示面
３０２      ９色目表示面
３１０，３１１，３１３，３１４  軸受け
３２１      支持軸Ａ
３２５      支持軸Ｂ
１３０２    ２色目表示面
【図１】
2019045541.tif 000003
【図２】
2019045541.tif 000004
【図３】
2019045541.tif 000005
【図４】
2019045541.tif 000006
【図５】
2019045541.tif 000007
【図６】
2019045541.tif 000008
【図７】
2019045541.tif 000009
【図８】
2019045541.tif 000010
【図９】
2019045541.tif 000011
【図１０】
2019045541.tif 000012
【図１１】
2019045541.tif 000013
【図１２】
2019045541.tif 000014
【図１３】
2019045541.tif 000015
【図１４】
2019045541.tif 000016
【図１５】
2019045541.tif 000017
【図１６】
2019045541.tif 000018